(57)【要約】【課題】シートパッドに対する支持部材の支持性能を好適に向上させることにある。【解決手段】迂回部２６が、一端側で支持部の一側（２４）につながるとともに、一端（２６ａ）側から他端（２６ｂ）側に向かうにつれて、支持部（２４）に対してシートパッド４Ｐから次第に離間する方向又は近接する方向に傾斜状に屈曲してなり、支持部（２２，２４）が、シートパッド４Ｐの荷重を受けて撓みつつそれを支持するに際して、迂回部が、その一端（２６ａ）側と他端（２６ｂ）側で捩じれつつ傾斜度合いが小さくなるように撓むことで、支持部の一側（２４）が、一側とは異なる支持部の他側（２２）よりも大きく撓み変形する構成とした。【選択図】図５
2015084867.tif 000002
【特許請求の範囲】
【請求項１】
シートクッションやシートバック等のシート構成部材を備えるとともに、前記シート構成部材が、シート骨格をなす枠状のシートフレームと、シート外形をなして乗員を弾性的に支持可能なシートパッドと、前記シートフレームに橋渡し状に取付けられる棒状の支持部材とを有し、
前記支持部材が、その橋渡し方向の途中で前記シートパッドに沿うように適宜屈曲してなるとともに、前記シートパッドの荷重にて撓みつつそれを支持する構成の乗物用シートにおいて、
前記支持部材が、前記橋渡し方向で見て、前記シートパッドに対面状に配置してそれを支持する支持部と、前記シートパッドからの荷重が相対的に大きい前記支持部の一側に直接つながる迂回部とを有し、前記迂回部が、一端側で前記支持部の一側につながるとともに、一端側から他端側に向かうにつれて、前記支持部の一側に対して前記シートパッドから次第に離間する方向又は近接する方向に傾斜状に屈曲してなり、
前記支持部が、前記シートパッドの荷重を受けて撓みつつそれを支持するに際して、前記迂回部が、その一端側と他端側で捩じれつつ傾斜度合いが小さくなるように撓むことで、前記支持部の一側が、前記一側とは異なる前記支持部の他側よりも大きく撓み変形する構成とした乗物用シート。
【請求項２】
前記支持部材が、前記シートフレームに設けられた棒状又は板状の取付け部に掛止めされる掛止部を有するとともに、前記掛止部を、前記取付け部の周りに掛け回し状に掛止することで、前記掛止部の基部側を前記取付け部の一側に配置しつつ前記掛止部の端部側を前記取付け部の他側に配置させる構成とし、
前記迂回部が、一端側から他端に向かうにつれて、前記掛止部の端部から次第に離れる方向に傾斜しつつ前記掛止部の基部に直接つながる構成である請求項１に記載の乗物用シート。
【発明の詳細な説明】
【技術分野】
【０００１】
本発明は、シートフレームと、シートパッドと、支持部材（シートフレーム上でシートパッドを支持する部材）を備えた乗物用シートに関する。
【背景技術】
【０００２】
この種の乗物用シートとして、シートクッションが、シート骨格をなすシートフレームと、シート外形をなして乗員を弾性的に支持するパッド（シートパッド）と、緩衝体（支持部材）を有する乗物用シートが公知である（特許文献１を参照）。
シートフレームは、略矩形の枠体であり、その前部が平板状とされて複数の爪部（略逆Ｌ字状の突出部位）が設けられる。またシートフレーム後部側には、パイプ状の取付け部がシート幅方向に向けて配設される。
また緩衝体は、略Ｕ字状（上面視）に屈曲してなる棒材からなり、緩衝体の側部が、上面視で連続Ｓ字状に適宜屈曲（シートパッドに沿うようにシート幅方向に適宜屈曲）する。また緩衝体の側部は、その後部側が上方且つ前方に円弧状に延出しており（掛止部が形成されており）、取付け部の周りに下方から上方に向けて掛止可能である。
公知技術では、緩衝体を、シートフレーム上でシート前後方向に橋渡し状に配置する。この状態で緩衝体の前部側を、シートフレームの前部（爪部）に係止するとともに、緩衝体の後部側（掛止部）を取付け部周りに掛止することで、シートフレーム（爪部から後部側にかけての部分）に緩衝体を取付ける。そしてパッドの前部側を、シートフレーム前部（平板状）に配置しつつ、その他のパッド部分を、緩衝体にて弾性的に支持することとなる。
【先行技術文献】
【特許文献】
【０００３】
【特許文献１】特開２０１０−１２５１２１号公報
【発明の概要】
【発明が解決しようとする課題】
【０００４】
ところでこの種の乗物用シートでは、乗員の着座時に、例えばパッドの後方側（乗員臀部が配置する部分）が最も強く押圧される。このため乗員の着座性などを考慮して、強く押圧されるパッド部分を、撓みやすい緩衝体部分で支持することが望ましい。
しかし公知技術の緩衝体は、シート前後方向で見た中央部分が最も撓みやすくなりがちである。このため公知技術の構成では、緩衝体の最も撓みやすい部分が、最も強く押圧されるパッド部分とは異なる位置（典型的にそれよりも前側）に配置するなどして、好適な支持性能を発揮しにくい構成になりがちであった。
もっともパッドの押圧状態を考慮して、緩衝体の屈曲度合い（シート幅方向の突出量）を、シート後方に向かうにつれて次第に大きくして撓みやすくすることもできる。しかしスペースの関係上、緩衝体のシート幅方向の突出量を大きくするには限界があった（部分的に大きく撓ませるには不適の構成であった）。
本発明は上述の点に鑑みて創案されたものであり、本発明が解決しようとする課題は、シートパッドに対する支持部材の支持性能を好適に向上させることにある。
【課題を解決するための手段】
【０００５】
上記課題を解決するための手段として、第１発明の乗物用シートは、シートクッションやシートバック等のシート構成部材を備える。そしてシート構成部材が、シート骨格をなす枠状のシートフレームと、シート外形をなして乗員を弾性的に支持可能なシートパッドと、シートフレームに橋渡し状に取付けられる棒状の支持部材とを有する。
本発明では、支持部材が、その橋渡し方向の途中でシートパッドに沿うように適宜屈曲してなるとともに、シートパッドの荷重にて撓みつつそれを支持する。この種の構成では、シートパッドに対する支持部材の支持性能を好適に向上させることが望ましい。
【０００６】
そこで本発明では、支持部材が、橋渡し方向で見て、シートパッドに対面状に配置してそれを支持する支持部と、シートパッドからの荷重が相対的に大きい支持部の一側に直接つながる迂回部とを有する。そして迂回部が、一端側で支持部の一側につながるとともに、一端側から他端側に向かうにつれて、支持部の一側に対してシートパッドから次第に離間する方向又は近接する方向に傾斜状に屈曲してなる。
そして支持部が、シートパッドの荷重を受けて撓みつつそれを支持するに際して、迂回部が、その一端側と他端側で捩じれつつ傾斜度合いが小さくなるように撓むことで、支持部の一側が、一側とは異なる支持部の他側よりも大きく撓み変形する構成とした。
本発明では、迂回部が、シートパッドの荷重により、その傾斜度合いが小さくなるように撓む（一端側と他端側で傾斜を解消する向きに捩じれる）ことで、支持部の他側に比して撓みやすい構成である。そして支持部の一側と迂回部を直接つなげたため、支持部の一部が、迂回部の撓みに伴って比較的大きく撓むことができる（比較的広範囲の部分を大きく撓ませることができる）。
【０００７】
第２発明の乗物用シートは、第１発明の乗物用シートであって、支持部材が、シートフレームに設けられた棒状又は板状の取付け部に掛止めされる掛止部を有する。そして掛止部を、取付け部の周りに掛け回し状に掛止することで、掛止部の基部側を取付け部の一側に配置しつつ掛止部の端部側を取付け部の他側に配置させる構成である。
そこで本発明では、迂回部が、一端側から他端に向かうにつれて、掛止部の端部から次第に離れる方向に傾斜しつつ掛止部の基部に直接つながる構成である。
本発明では、フレーム部材に対する支持部材の取付け時において、取付け部を、迂回部に沿ってスムーズに掛止部側に導くことができる（取付け作業性に優れる構成である）。
【発明の効果】
【０００８】
本発明に係る第１発明によれば、シートパッドに対する支持部材の支持性能を好適に向上させることができる。また第２発明によれば、シートパッドに対する支持部材の支持性能と、支持部材の取付け作業性の双方を好適に向上させることができる。
【図面の簡単な説明】
【０００９】
【図１】乗物用シートの斜視図である。
【図２】シートクッションの分解斜視図である。
【図３】支持部材の斜視図である。
【図４】支持部材の側面図である。
【図５】撓み状態時の支持部材の側面図である。
【図６】変形例に係る支持部材一部とシートフレーム一部の斜視図である。
【発明を実施するための形態】
【００１０】
以下、本発明を実施するための形態を、図１〜図６を参照して説明する。また各図には、適宜、乗物用シート前方に符号Ｆ、乗物用シート後方に符号Ｂ、乗物用シート上方に符号ＵＰ、乗物用シート下方に符号ＤＷを付す。
図１の乗物用シート２は、シート構成部材（シートクッション４，シートバック６，ヘッドレスト８）と、レール部材９を有する。シート構成部材は、各々、シート骨格をなすシートフレーム（４Ｆ，６Ｆ，８Ｆ）と、シート外形をなして乗員を弾性的に支持するシートパッド（４Ｐ，６Ｐ，８Ｐ）と、シートパッドを被覆するシートカバー（４Ｓ，６Ｓ，８Ｓ）を有する。
またレール部材９は、シート構成部材をスライド移動させる部材であり、アッパレール９ａと、ロアレール９ｂを有する。そしてアッパレール９ａにシートクッション４（シートフレーム４Ｆ）を取付けるとともに、ロアレール９ｂを乗物床面に取付ける。そして両レールを摺動可能に組付けることで、シート構成部材を、乗物床面に対して前後方向等にスライド移動させることができる。
【００１１】
本実施例では、シートクッション４が、基本構成（４Ｆ，４Ｐ，４Ｓ）と、一対の支持部材２０ａ，２０ｂを有する（図２を参照、各部材の詳細は後述）。
そして本実施例では、シートパッド４Ｐを、各支持部材２０ａ，２０ｂを介してシートフレーム４Ｆ上に配設しつつシートカバー４Ｓで被覆する。こうして形成されたシートクッション４に乗員Ｍが着座することで、乗員Ｍの押圧を受けたシートパッド４Ｐを、各支持部材２０ａ，２０ｂが撓みつつ支持する（図５を参照）。
この種の構成では、典型的に乗員臀部の配置する後部側で、シートパッド４Ｐが相対的に強く押圧される。このためシートの着座性等を考慮して、シートパッド４Ｐの強く押圧される部位（後部側）で、各支持部材２０ａ，２０ｂの撓み量を大きくするなどしてその支持性能を向上させることが望ましい。
そこで本実施形態では、後述の構成にて、シートパッド４Ｐに対する各支持部材２０ａ，２０ｂの支持性能を好適に向上させることとした。以下、各構成について詳述する。
【００１２】
［基本構成］
ここでシートカバー４Ｓは、シートパッド４Ｐを被覆可能な袋状の面材であり、例えば布帛（織物，編物，不織布）や皮革（天然皮革，合成皮革）で構成できる（図２を参照）。またシートパッド４Ｐは、例えばポリウレタンフォームなどの発泡樹脂で形成できる。
そしてシートフレーム４Ｆは、上方視で略長方形状の枠体（金属又は硬質樹脂製）であり、前方フレーム１２と、一対の側方フレーム１４と、後方フレーム１６を有する。
前方フレーム１２は、シートクッション４の前部骨格を構成する部材（平板状）であり、複数の爪部１３を有する。各爪部１３は、略Ｊ字状（側面視）をなして後述の支持部材２０ａ，２０ｂを係止可能な部位であり、前方フレーム１２の後端に突出配置する。本実施形態では、複数の爪部１３を、前方フレーム１２の後端に適宜の間隔で並列状に配置できる。また一対の側方フレーム１４は、それぞれシートクッション４の側部骨格を構成する平板状の部材であり、シート側方において互いに対面状に配置する。そして後方フレーム１６（取付け部の一例）は、シートフレーム４Ｆ後部を補強するパイプ材（円筒状）であり、一対の側方フレーム１４の間に橋渡し状に配設できる。
【００１３】
［支持部材］
一対の支持部材（第一支持部材２０ａ，第二支持部材２０ｂ）は、それぞれ棒状の部材（金属又は硬質樹脂製）であり、後述の各部（支持部２２，２４，迂回部２６，掛止部２８）を有する（図３〜図５を参照）。
本実施例では、一対の支持部材２０ａ，２０ｂを、シートフレーム４Ｆ内でシート幅方向に並列状に配置する。そして各支持部材２０ａ，２０ｂを、前方フレーム１２と後方フレーム１６の間に（シート前後方向に）橋渡し状に配設する（図２を参照）。こうして一対の支持部２２，２４をシート幅方向に並べて配置することにより、シートパッド４Ｐの略全幅を支持することができる。なお一対の支持部材２０ａ，２０ｂを、図示しない連結部材（シート幅方向に長尺な棒材）にて連結することもできる。
【００１４】
ここで第一支持部材２０ａと第二支持部材２０ｂは同一構成であることから、専ら第一支持部材２０ａを例にとってその構成を説明する（図３〜図５を参照）。
本実施例の第一支持部材２０ａは、上方視で略Ｕ字状の棒材であり、一対のアーム部４１ａ，４１ｂと、連結端部４２とからなる。そして各アーム部４１ａ，４１ｂは、（取付け状態を基準として）連結端部４２からシート前後方向に並列しつつ延びる部位であり、シート幅方向に向けて略Ｓ字状に（シートパッドに沿うようにバネ面の面方向に）適宜屈曲する。本実施例では、シート前後方向で見て、各アーム部４１ａ，４１ｂの屈曲部分の突出量（シート幅方向への突出量）が略同一とされてシンプルな構成である。
【００１５】
（支持部）
そして支持部は、シートパッド４Ｐに対面状に配置する部位であり、第一部位２２と、第二部位２４を有する（図３〜図５を参照）。
第一部位２２は、各アーム部４１ａ，４１ｂの前部から中央にかけての部分を形成する部位である。本実施例の第一部位２２は、側面視で、前端から中央に向かうにつれて次第に下方に傾斜しており、乗員脚部を支持するシートパッド４Ｐ部分を支持可能である。なお第一部位２２の前端（両アーム部の前端）は、互いに離れる方向に屈曲しており、前方フレーム１２（爪部１３）にそれぞれ係止可能である。
また第二部位２４は、各アーム部４１ａ，４１ｂの中央から後部にかけての部分を形成する部位である。本実施例の第二部位２４は略平坦とされており、その後部側で、乗員臀部（座骨）を支持するシートパッド４Ｐ部分を支持可能である。そして後述するように第二部位２４（後部側）において、シートパッド４Ｐの荷重が第一部位２２に比して（相対的に）大きくなる。このため第二部位２４の後部側を比較的撓みやすくすることにより、シートパッド４Ｐを好適に支持可能な構成とすることができる。
【００１６】
（迂回部）
また迂回部２６は、支持部２２，２４に比して撓みやすい部位であり、各アーム部４１ａ，４１ｂの後部側（シートパッド４Ｐが直接当接しない位置）に設けることができる（図３〜図５を参照）。
本実施例では、迂回部２６の前端（前端部２６ａ）が、第二部位２４の後部（支持部の一側）に直接つながりつつ、シート幅方向に向けて延びる。また迂回部２６の後端（後端部２６ｂ）が、後述する掛止部２８に直接つながりつつ、シート幅方向に延びる（前端部２６ａに平行に配置する）。そして本実施例の迂回部２６は、前端部２６ａから後端部２６ｂに向かうにつれて、第二部位２４（支持部）よりもシートパッド４Ｐから次第に離間する方向に傾斜状に屈曲してなる。
そして本実施例では、後述するように迂回部２６が、シートパッド４Ｐの荷重を受けて、前端部２６ａと後端部２６ｂで捩じれつつ直線状となるように撓む（傾斜状態が小さくなるように撓む）構成である（図５を参照）。このとき第二部位２４に対する迂回部２６の角度（撓み角）θを適宜調節することにより（比較的シンプルな構成により）、迂回部２６の撓み度合いを調整できる（図４及び図５を参照）。
【００１７】
（掛止部）
そして掛止部２８は、後方フレーム１６に掛止め可能な部位であり、アーム部４１ａ，４１ｂの後端に形成できる（図３〜図５を参照）。
本実施例の掛止部２８は、円弧状（側面視）の部位であり、各アーム部４１ａ，４１ｂの後端を下方から上方に折返し状に湾曲させることで形成される。
そして後述する掛止状態時において、後方フレーム１６の周りに掛止部２８を下方から上方に向けて掛け回し状に掛止する（図４を参照）。こうして掛止部２８の基端側（後端部２６ｂに直接つながる部分）が、後方フレーム１６の下側に配置する。また掛止部２８の端部（連結端部側）が、後方フレーム１６の上側に配置する。そして本実施例では、上述の迂回部２６が、掛止部２８の端部から次第に離れる方向に傾斜しつつ（後方フレーム１６を挿入可能なクリアランスを設けつつ）掛止部２８の基部に直接つながる構成とされる。
【００１８】
［支持部材の取付け作業］
図２、図４及び図５を参照して、一対の支持部材２０ａ，２０ｂを、それぞれシートフレーム４Ｆ内でシート前後方向に橋渡し状に配設する。
本実施例では、第一部位２２の前部側（各アーム部の前部側）を、前方フレーム１２の各爪部１３に係止する。
また掛止部２８（各アーム部の後部側）を後方フレーム１６の周りに掛け回し状に掛止することで、掛止部２８の基部側を後方フレーム１６の下側に配置するとともに、掛止部２８の端部を後方フレーム１６の上側に配置させる。本実施例では、各支持部材２０ａ，２０ｂに対して後方フレーム１６を後方に相対移動させつつ掛止部２８内に配置する。このとき後方フレーム１６を、迂回部２６（掛止部２８に向けて下方に傾斜する部位）に沿ってスムーズに掛止部２８に導くことができる（図４を参照）。このため本実施例では、第二部位２４（バネ面）と後方フレーム１６の高さ位置を相対的に近接させた場合でも、迂回部２６にて、後方フレーム１６に対する支持部材２０ａ，２０ｂの取付け作業をスムーズに行うことができる。
こうして各支持部材２０ａ，２０ｂを、シートフレーム４Ｆ上に配設しつつ、シートパッド４Ｐを支持可能に配置する。つぎにシートパッド４Ｐを、各支持部材２０ａ，２０ｂを介してシートフレーム４Ｆ上に配設したのちシートカバー４Ｓで被覆する。そして本実施例では、第一部位２２で、乗員脚部を支持するシートパッド４Ｐ部分を支持する。また第二部位２４の後部側で、乗員臀部（座骨）を支持するシートパッド４Ｐ部分を支持することとなる。
【００１９】
［支持部材によるシートパッドの支持態様］
本実施例では、シートクッション４に対する乗員Ｍの着座により、シートパッド４Ｐが下方に押圧される（図５を参照）。
このとき支持部２２，２４において、その略Ｓ字状の屈曲部分が前後に引き伸ばされつつ（曲がりつつ）下方に撓みながらシートパッド４Ｐを支持する（図５の白抜き太矢印部分を参照）。このため支持部（第一部位２２，第二部位２４）ではその曲げがバネ定数となる。
そして上述の構成では、シートパッド４Ｐの後部側（乗員臀部の配置する部分）が相対的に強く押圧される。このためシートの着座性等を考慮して、第二部位２４の後部側が、第一部位２２に比して大きく撓みつつ、シートパッド４Ｐの後部側を支持できることが望まれる。
【００２０】
そこで本実施例では、第二部位２４の後部側に迂回部２６を直接つなげることで、これらを相対的に大きく撓ませる（撓み変形させる）構成とした。
すなわち迂回部２６が、シートパッド４Ｐの荷重により、前端部２６ａと後端部２６ｂで捩じれつつ直線状となるように撓む（図５の太矢印部分を参照）。このため迂回部２６では、その捩じりがバネ定数となることで、支持部２２，２４に比して撓みやすくなる（支持部のバネ定数よりも小さいバネ定数を有する）。さらに迂回部２６周囲のＳ字状の屈曲部分が前後に引き伸ばされながら撓む（図５の白抜き太矢印部分を参照）。
そして本実施例では、第二部位２４の後部側と迂回部２６を直接つなげたため、第二部位２４の後部側が、迂回部２６の撓みに伴って比較的大きく撓むことができる（比較的広範囲の部分を大きく撓ませることができる）。このため本実施例では、強く押圧されるシートパッド４Ｐ後部を、支持部材２０ａ，２０ｂの撓みやすい部分（支持部の後部側から迂回部にかけての部分）で好適に支持できる。
【００２１】
以上説明したとおり本実施例では、迂回部２６が相対的に撓みやすい（前端部２６ａと後端部２６ｂが捩じれつつ撓む）構成とされて、第二部位２４の後部側に直接つながる。このため第二部位２４の後部側（支持部の一側）を、迂回部２６の撓みに伴って相対的に大きく撓ませることができる（比較的広範囲の部分を大きく撓ませることができる）。こうして本実施例では、支持部２２，２４と迂回部２６（バネ定数の異なる部位）を順次設けることにより、支持部材２０ａ，２０ｂを所望の位置で大きく撓み変形させることができる。
そして本実施例では、後方フレーム１６（取付け部）を、迂回部２６に沿ってスムーズに掛止部２８に導くことができる（取付け作業性に優れる構成である）。
このため本実施例によれば、シートパッド４Ｐに対する支持部材２０ａ，２０ｂの支持性能を好適に向上させることができる。
【００２２】
［変形例］
ここで支持部材の取付け構成は、上述のほか各種の構成を取り得る。
例えば本変形例では、支持部材２０を、一対の側方フレーム１４の間に（シート幅方向に）橋渡し状に配設できる（図６を参照）。支持部材２０は、シート幅方向に延びる棒材であり、シート前後方向に向けて略Ｓ字状に（シートパッドに沿うように）適宜屈曲する。そして支持部材２０の端部を、側方フレーム１４に設けられた爪部１３Ａ（略Ｊ字状の部位）に係止できる。
そして本変形例においても、シートパッド４Ｐ後部側に配置する支持部材２０に、支持部と迂回部をシート前後方向に順次設けることで、適切な部分の撓み度合いを大きくすることができる。
【００２３】
本実施形態の乗物用シートは、上述した実施形態に限定されるものではなく、その他各種の実施形態を取り得る。
（１）本実施形態では、一対の支持部材２０ａ，２０ｂをシートフレーム４Ｆに配設する例を説明した。これとは異なり単数の支持部材（例えば一対の支持部材を一つなぎとした形状の部材）や３以上の支持部材をシートフレームに取付けることもできる。なお支持部材の形状や寸法は、シートパッドを支持可能であるかぎり適宜変更可能である。またアーム部の屈曲形状はＳ字状のほか各種の形状をとることができ、その橋渡し方向の途中でシートパッドに沿うように連続的又は断続的に屈曲させることができる。また支持部材の大きく撓ませたい部分で、アーム部の屈曲形状をシートパッドに沿う向きに大きくすることもできる。
（２）また本実施形態では、第二部位２４の後部側を、迂回部２６にて大きく撓ませる例を説明したが、大きく撓ませるべき部位はシート構成に応じて適宜変更可能である。すなわち迂回部を、シートパッドの押圧状態などを考慮して支持部材の適宜の位置に設けることができ、例えば第一部位と第二部位の間や、第一部位の前部側や、各部位の途中等に設けることができる。
（３）また本実施形態では、迂回部２６の構成（形状，寸法，配設位置，配設数等）を例示したが、同部の構成を限定する趣旨ではない。例えば迂回部を、シートパッド４Ｐに次第に近接する方向に傾斜させることができる。
【００２４】
（４）また本実施形態では、掛止部の構成を例示したが、同部の構成を限定する趣旨ではない。例えば掛止部を、迂回部から離間して形成することもできる。またシートフレームに、一対の取付け部が適宜の間隔をあけて設けられている場合、一対の取付け部の間に支持部材を配置する構成とすることができる。この場合には、支持部材の両端にそれぞれ掛止部を設けることができる。また取付け部の周りに掛止部を上方から下方に向けて掛け回し状に掛止する構成とすることができる。なお取付け部は、掛止部を掛止可能であるかぎり、パイプ状（棒状）や平板状の部材を用いることができる。
（５）また本実施形態では、支持部２２，２４の構成を例示したが、同部の構成を限定する趣旨ではない。支持部は、シートパッドを支持可能であるかぎり、各種の構成を取り得る（例えば第一部位又は第二部位のみの支持部材とすることができる）。
（６）また本実施形態では、シートクッション４のシートカバー４Ｓを一例に説明したが、本実施例の構成は、シートバックやヘッドレスト等の各種シート構成部材に適用できる。なおシートフレームの爪部は、支持部材を係止可能であるかぎり各種の構成を取り得る。そして本実施例の構成は、車両用シートのほか、航空機や電車などの乗物用シート全般に適用できる。
【符号の説明】
【００２５】
２     乗物用シート
４     シートクッション
６     シートバック
８     ヘッドレスト
４Ｓ   シートカバー
４Ｐ   シートパッド
４Ｆ   シートフレーム
２０ａ 第一支持部材
２０ｂ 第二支持部材
２２   第一部位（支持部の他側）
２４   第二部位（支持部の一側）
２６   迂回部
２６ａ 迂回部の前端部
２６ｂ 迂回部の後端部
２８   掛止部
４１ａ，４１ｂ  アーム部
４２   連結端部
【図１】
2015084867.tif 000003
【図２】
2015084867.tif 000004
【図３】
2015084867.tif 000005
【図４】
2015084867.tif 000006
【図５】
2015084867.tif 000007
【図６】
2015084867.tif 000008